(57)【要約】【課題】携帯情報端末のユーザーが環境と各環境発電装置の発電量との関係を把握し、ユーザーが携帯情報端末の充電に有利な環境を選択することができる携帯情報端末及び発電量のモニタリング方法を提供すること。【解決手段】本発明は、環境発電装置１１〜１４、制御装置２、バッテリ３及び表示装置４を有する。環境発電装置１１〜１４はそれぞれ異なる環境にて環境発電を行う。制御装置２は、環境発電装置１１〜１４により発電された電力の充電可能なバッテリ３への供給を制御する。それとともに、制御装置２は、環境発電装置１１〜１４のそれぞれの発電量を観測する。表示装置４は、制御装置２により観測された環境発電装置１１〜１４のそれぞれの発電量を表示する。【選択図】図１
2011172377.tif 000002
【特許請求の範囲】
【請求項１】
充電可能なバッテリと、
環境発電を行う第１の環境発電装置と、
前記第１の環境発電装置とは異なる環境において環境発電を行う第２の環境発電装置と、
前記第１の環境発電装置及び前記第２の環境発電装置により発電された電力の前記バッテリへ供給を制御するとともに、前記第１の環境発電装置の発電量及び前記第２の環境発電装置の発電量を観測する制御装置と、
前記制御装置により観測された前記第１の環境発電装置の前記発電量及び前記第２の環境発電装置の前記発電量を表示する表示装置と、を備える、
携帯情報端末。
【請求項２】
前記制御装置は、
前記第１の環境発電装置の最大発電量及び前記第２の環境発電装置の最大発電量が予め記憶された第１のメモリと、
前記第１の環境発電装置の前記発電量及び前記第２の環境発電装置の前記発電量が格納される第２のメモリと、
前記第１の環境発電装置の前記最大発電量及び前記発電量に基づいて前記第１の環境発電装置の発電効率を算出し、前記第２の環境発電装置の前記最大発電量及び前記発電量に基づいて前記第２の環境発電装置の発電効率を算出する演算部と、を備え、
前記表示装置は、前記第１の環境発電装置の前記発電効率及び前記第２の環境発電装置の前記発電効率を更に表示することを特徴とする、
請求項１に記載の携帯情報端末。
【請求項３】
前記制御装置は、
前記第１の環境発電装置又は前記第２の環境発電装置により発電された電力を前記バッテリへ供給することを特徴とする、
請求項１又は２に記載の携帯情報端末。
【請求項４】
前記制御装置は、
前記第１の環境発電装置及び前記第２の環境発電装置のうち、前記発電量又は前記発電効率が大きい一方により発電された電力を前記バッテリへ供給することを特徴とする、
請求項３に記載の携帯情報端末。
【請求項５】
前記制御装置は、
前記第１の環境発電装置により発電された電力と前記第２の環境発電装置により発電された電力とを合計して前記バッテリへ供給することを特徴とする、
請求項１又は２に記載の携帯情報端末。
【請求項６】
第１の環境発電装置にて環境発電を行い、
第２の環境発電装置にて、前記第１の環境発電装置と異なる環境において環境発電を行い、
前記第１の環境発電装置及び前記第２の環境発電装置により発電した電力のバッテリへの供給を制御するとともに、前記第１の環境発電装置の発電量及び前記第２の環境発電装置の発電量を観測し、
観測した前記第１の環境発電装置の前記発電量及び前記第２の環境発電装置の前記発電量を表示する、
携帯情報端末の発電量のモニタリング方法。
【発明の詳細な説明】
【技術分野】
【０００１】
本発明は、携帯情報端末及び携帯情報端末の発電量のモニタリング方法に関し、特に環境発電手段により発電を行う携帯情報端末及び携帯情報端末の発電量のモニタリング方法に関する。
【背景技術】
【０００２】
通常、携帯情報端末をはじめとする携帯情報端末のバッテリは、ＡＣ電源により充電される。そのため、外出先においてバッテリの残高が少なくなると、エンドユーザは、電源の確保が困難である。これに対し、太陽光による発電が可能な携帯情報端末が提案されている（特許文献１及び２）。
【０００３】
また、複数の発電手段が搭載され、これらの複数の発電手段のいずれかを適宜選択して、バッテリを充電する携帯用電子機器が提案されている（特許文献３）。
【０００４】
さらに、複数の発電手段により発電される電力量を表示し、省エネルギー意識を高め、新エネルギー発電方式に関する啓蒙に資する表示装置が提案されている（特許文献４）。
【先行技術文献】
【特許文献】
【０００５】
【特許文献１】特開２００５−１９０２９５号公報
【特許文献２】特開２００４−２０８４５１号公報
【特許文献３】特開２００８−１６７５６２号公報
【特許文献４】特開２００６−１３９１１４号公報
【発明の概要】
【発明が解決しようとする課題】
【０００６】
しかし、太陽電池を搭載した携帯情報端末（特許文献１及び２）は、十分な照度の光を受光できる環境でなければ、有効な発電を行うことができない。このため、時刻や場所によって光の照度が変化する状況下においては、有効な発電を行うことができない欠点が存在する。
【０００７】
この欠点を克服するには、太陽電池以外の複数の環境発電手段（例えば、受信電波による発電、振動の運動エネルギーを利用した発電など）を搭載し、各環境発電手段を組み合わせて発電を行えばよい。これにより、それぞれの環境発電手段の欠点を相互に補い、変化する環境下においても継続して発電を行うことができる。
【０００８】
しかし、環境発電手段を搭載しただけでは、携帯情報端末のユーザーは、環境発電が効率的に行われているかを知ることができない。また、ユーザーが携帯情報端末の配置（置き場所、置く角度など）を選択できる状況に有る場合、携帯情報端末をいかなる環境下に置けば、環境発電を有利に行うことができるのかを知ることはできない。従って、環境発電により効率的にバッテリを充電することができない。
【０００９】
本発明は、上記に鑑みて為されたものであり、本発明の目的は、携帯情報端末のユーザーが環境と各環境発電装置の発電量との関係を把握し、ユーザーが携帯情報端末の充電に有利な環境を選択することができる携帯情報端末及び携帯情報端末の発電量のモニタリング方法を提供することにある。
【課題を解決するための手段】
【００１０】
本発明の一態様である携帯情報端末は、充電可能なバッテリと、環境発電を行う第１の環境発電装置と、前記第１の環境発電装置とは異なる環境において環境発電を行う第２の環境発電装置と、前記第１の環境発電装置及び前記第２の環境発電装置により発電された電力の前記バッテリへ供給を制御するとともに、前記第１の環境発電装置の発電量及び前記第２の環境発電装置の発電量を観測する制御装置と、前記制御装置により観測された前記第１の環境発電装置の前記発電量及び前記第２の環境発電装置の前記発電量を表示する表示装置と、を備えるものである。
【００１１】
本発明の一態様である携帯情報端末発電量のモニタリング方法は、第１の環境発電装置にて環境発電を行い、第２の環境発電装置にて、前記第１の環境発電装置と異なる環境において環境発電を行い、前記第１の環境発電装置及び前記第２の環境発電装置により発電した電力のバッテリへの供給を制御するとともに、前記第１の環境発電装置の発電量及び前記第２の環境発電装置の発電量を観測し、観測した前記第１の環境発電装置の前記発電量及び前記第２の環境発電装置の前記発電量を表示するものである。
【発明の効果】
【００１２】
本発明によれば、携帯情報端末のユーザーが環境と各環境発電装置の発電量との関係を把握し、ユーザーが携帯情報端末の充電に有利な環境を選択することができる携帯情報端末及び携帯情報端末の発電量のモニタリング方法を提供することができる。
【図面の簡単な説明】
【００１３】
【図１】実施の形態１にかかる携帯情報端末１００の構成を示すブロック図である。
【図２】実施の形態１にかかる携帯情報端末１００にＡＣ電源を接続する場合の構成を示す構成図である。
【図３】制御装置２の構成例を表示した携帯情報端末１００の構成図である。
【図４】実施の形態１にかかる携帯情報端末１００における発電量のモニタリング動作を示すフローチャートである。
【図５】表示装置４における表示画面の例を示す図である。
【発明を実施するための形態】
【００１４】
実施の形態１
以下、図面を参照して本発明の実施の形態について説明する。図１は、実施の形態１にかかる携帯情報端末１００の構成を示すブロック図である。図１に示すように、携帯情報端末１００は、発電部１、制御装置２、バッテリ３及び表示装置４により構成される。なお、本発明は、バッテリ３の充電にかかるものであるので、例えば基地局との間の送受信を行うための構成等については省略して表示している。
【００１５】
発電部１は、複数の環境発電装置を有し、例えば、環境発電装置１１〜１４を有する。
環境発電装置１１は、例えば光発電装置であり、外部環境の光（例えば太陽光など）を受光して発電を行う。環境発電装置１２は、例えば電波を利用した発電装置であり、外部環境の電波を電気エネルギーに変換する。環境発電装置１３は、例えば振動を利用した発電装置であり、エンドユーザの歩行などにより携帯情報端末に加わる振動の運動エネルギーを電気エネルギーに変換する。環境発電装置１４は、例えば熱を利用した発電装置であり、外部環境から受ける熱を電気エネルギーに変換する。
【００１６】
制御装置２は、発電部１とバッテリ３及び表示装置４との間に接続される。発電部１の環境発電装置１１〜１４のそれぞれで発電された電力は、制御装置２を介して、バッテリ３に供給される。これにより、バッテリ３が充電される。このとき、制御装置２は、例えば環境発電装置１１〜１４のうち発電量が最大の環境発電装置を選択し、選択した環境発電装置により発電された電力をバッテリ３へ供給することができる。
【００１７】
なお、制御装置２は、アダプタを介して、外部のＡＣ電源と接続することができる。図２は、携帯情報端末１００にＡＣ電源を接続する場合の構成を示す構成図である。図２に示すように、携帯情報端末１００の制御装置２は、アダプタ５を介して、ＡＣ電源６と接続される。ＡＣ電源６から制御装置２に電力が供給される場合には、制御装置２はＡＣ電源６から供給される電力により、バッテリ３を充電することができる。さらに、環境発電装置１１〜１４による発電と並行して、ＡＣ電源６からの電力をバッテリ３に供給することもできる。
【００１８】
制御装置２は、発電部１の環境発電装置１１〜１４が発電する電力値をリアルタイムで記憶する。そして、環境発電装置１１〜１４が発電する電力の情報を、表示装置４へ出力する。図３は、制御装置２の構成例を表示した携帯情報端末１００の構成図である。制御装置２は、図３に示すように、メモリ２１、メモリ２２、演算部２３、グラフ生成部２４により構成される。メモリ２２は、環境発電装置１１〜１４のそれぞれが発電できる最大電力値Ｗｍａｘ１１〜１４が予め記憶されている。その他の構成は、図１の携帯情報端末１００と同様であるので、説明を省略する。
【００１９】
続いて、図３及び図４を参照して、携帯情報端末１００における発電量のモニタリング動作について説明する。図４は、携帯情報端末１００における発電量のモニタリング動作を示すフローチャートである。携帯情報端末１００は、ユーザーによるモニタリング動作の開始指示を受けて、発電量のモニタリング動作を開始する（図４のステップＳ１）。
【００２０】
まず、発電部１から制御装置のメモリ２１に、環境発電装置１１〜１４のそれぞれが発電する電力値Ｗ１１〜１４を入力する（ステップＳ２）。
【００２１】
次に、メモリ２１が、環境発電装置１１〜１４のそれぞれが発電する電力値Ｗ１１〜１４を記憶する（ステップＳ３）。
【００２２】
演算部２３は、電力値Ｗ１１〜１４及び最大電力値Ｗｍａｘ１１〜１４を読み込む。そして、環境発電装置１１〜１４のそれぞれの発電効率を算出し、グラフ生成部２４に出力する（ステップＳ４）。
【００２３】
グラフ生成部２４は、算出した発電効率に基づいて、環境発電装置１１〜１４のそれぞれの発電効率を表示するグラフをする（ステップＳ５）。そして、作成したグラフを、表示装置４へ出力する（ステップＳ６）。
【００２４】
最後に、ユーザーの指示に基づいて、動作を選択する。モニタリング動作を終了する場合には、ステップＳ８へ進む。モニタリング動作を継続する場合には、ステップＳ２へ戻る（ステップＳ７）。
【００２５】
他にも、演算部２３は、発電部１が発電する電力値（環境発電装置１１〜１４が発電する電力の総和）を算出することができる。グラフ生成部２４は、発電部１が発電する電力に対して、環境発電装置１１〜１４のそれぞれが発電する電力が占める割合を表示するグラフを作成することができる。
【００２６】
表示装置４は、制御装置２から出力される情報に基づいて、環境発電装置１１〜１４のそれぞれが発電する電力値、発電効率、発電量の内訳などの情報を表示する。図５は、表示装置４における表示画面の例を示す図である。図５に示すように、表示装置４には、環境発電装置１１〜１４のそれぞれの発電量の内訳を示すグラフ３１及び発電効率を示すグラフ３２が表示される。よって、携帯情報端末１００のユーザーは、表示装置４に表示される情報を基に、最も有利に充電を行うことができる環境に携帯情報端末１００を配置することが可能となる。
【００２７】
以下、図５を参照して、具体的に説明する。図５によれば、電波による発電の効率はほぼ限界に達している。また、熱による発電の効率は振動による発電の効率よりも大きいが、発電量を比較すると、熱による発電は振動による発電よりも劣る。従って、ユーザーは、より有利にバッテリ３の充電を行うには、光又は振動による発電を重視すべきであると知ることができる。これにより、ユーザーは、携帯情報端末１００により大きな照度の光が照射される場所などに携帯情報端末１００を配置することにより、バッテリ３を迅速に充電することが可能となる。よって、外出中のためＡＣ電源による充電が行えない場合であっても、複数の環境発電（光、電波、振動及び熱電など）により、効率的にバッテリを充電することができる。
【００２８】
従って、本構成及び本モニタリング方法によれば、携帯情報端末のユーザーが環境と各環境発電装置の発電量との関係を把握し、ユーザーが携帯情報端末の充電に有利な環境を選択することができる携帯情報端末及び携帯情報端末の発電量のモニタリング方法を提供することができる。
【００２９】
なお、本発明は上記実施の形態に限られたものではなく、趣旨を逸脱しない範囲で適宜変更することが可能である。例えば、発電部１に設けられる環境発電装置は４つに限られず、２以上の任意の数とすることができる。
【００３０】
また、制御装置２はバッテリ３へ電力を供給する環境発電装置を選択するにあたり、発電量だけでなく、例えば発電効率などに基づいて選択することができる。すなわち、制御装置２は、例えば最大の発電効率を有する環境発電装置を選択してもよい。
【００３１】
さらに、制御装置２がバッテリ３へ電力を供給する環境発電装置を選択するに際し、選択する環境発電装置は１つに限られず、２以上の任意の数の環境発電装置を選択してもよい。この場合、選択した２以上の環境発電装置により発電された電力を合算してバッテリ３へ供給することが可能である。このとき、制御装置２は、発電量又は発電効率が大きい順に、２以上の環境発電装置を選択することができる。なお、制御装置２が、複数の環境装置の全てを選択できることは勿論である。
【００３２】
また、上述の実施の形態は携帯情報端末について説明したが、上述の実施の形態は、例えば携帯電話、携帯ゲーム機、携帯音楽再生装置、携帯録音装置及びディジタルカメラ装置などの携帯情報端末に適用することが可能である。
【符号の説明】
【００３３】
１  発電部
２  制御装置
３  バッテリ
４  表示装置
５  アダプタ
６  ＡＣ電源
１１〜１４  環境発電装置
２１、２２  メモリ
２３  演算部
２４  グラフ生成部
３１、３２  グラフ
１００    携帯情報端末
Ｓ１〜８  ステップ
Ｗ１１〜１４  電力値
Ｗｍａｘ１１〜１４  最大電力値
【図１】
2011172377.tif 000003
【図２】
2011172377.tif 000004
【図３】
2011172377.tif 000005
【図４】
2011172377.tif 000006
【図５】
2011172377.tif 000007